(57)【要約】【課題】スキャンドライバのスキャン動作による電磁波の不要輻射を低減し、かつ低電力化を実現するＡＣ型プラズマディスプレイ装置及びその駆動方法を提供する。【解決手段】複数のサステイン電極を共通接続した結線群を１単位とする複数の維持ブロック１Ｈ−１〜１Ｈ−３と、複数のスキャン電極に放電電圧を印加するための多段出力を持つ複数のスキャンドライバ１Ｆ−１〜１Ｆ−６を有するＭ×Ｌマトリクス構造のＡＣ型プラズマディスプレイ装置において、前記維持ブロック１Ｈ−１〜１Ｈ−３の各々に対し、前記スキャンドライバ１Ｆ−１〜１Ｆ−６から前記維持ブロック１Ｈ−１〜１Ｈ−３の各々へ出力されるスキャン動作パルスを独立に動作及び停止させる制御回路１Ｄを有することを特徴とするＡＣ型プラズマディスプレイである。【選択図】図１
2005070488.tif 000002
【特許請求の範囲】
【請求項１】
放電空間を挟んで対向配置された前面基板及び背面基板と、前記前面基板の内面に設けられたスキャン電極とサステイン電極で構成されるＭ個の行電極対と、前記行電極対を覆う誘電体を含む保護層と、前記背面基板の内面に設けられ前記行電極対に交差して配列されたＬ個のアドレス電極と、前記列電極を覆う誘電体層と、前記誘電体層を覆う蛍光体層と、前記背面基板に形成された隔壁間に塗布されている蛍光体と前記放電空間に充填された紫外光発生用の放電気体によって形成された三原色の放電発光セル群とを具備し、複数の前記サステイン電極を共通接続した結線群を１単位とする複数の維持ブロックと、複数の前記スキャン電極に放電電圧を印加するための多段出力を持つ複数のスキャンドライバを有するＭ×Ｌマトリクス構造のＡＣ型プラズマディスプレイ装置において、前記維持ブロックの各々に対し、前記スキャンドライバから前記維持ブロックの各々へ出力されるスキャン動作パルスを独立に動作及び停止させる制御回路を有することを特徴とするＡＣ型プラズマディスプレイ装置。
【請求項２】
前記維持ブロックの個数が２の累乗であることを特徴とする請求項１記載のＡＣ型プラズマディスプレイ装置。
【請求項３】
前記スキャン動作パルスは、前記スキャンドライバを動作させるクロック及びシフトされるスキャンパルスであることを特徴とする請求項１記載のＡＣ型プラズマディスプレイ装置。
【請求項４】
前記スキャンクロックの周波数は、前記維持ブロックの各々において可変させることを特徴とする請求項１記載のＡＣ型プラズマディスプレイ装置。
【請求項５】
前記スキャン動作パルスを独立に動作及び停止させる単位は、少なくとも１つ以上の前記維持ブロックであることを特徴とする請求項１記載のＡＣ型プラズマディスプレイ装置。
【請求項６】
前記維持ブロックに含まれる個々の前記サステイン電極が互いに隣り合わないように、別の前記維持ブロックに含まれるサステイン電極と交互に配列したことを特徴とする請求項１記載のＡＣ型プラズマディスプレイ装置。
【請求項７】
請求項１から６のいずれかに記載のＡＣ型プラズマディスプレイ装置の駆動方法であって、映像信号の各フィールドを複数個に分割したサブフィールド駆動を用い、各サブフィールドでは、（１）放電セルを初期化する初期期間、（２）各維持ブロック内の複数の前記スキャン電極にはそれぞれ位相のシフトしたスキャンパルスを含むスキャン電圧波形を順に印加し、前記アドレス電極には前記スキャンパルスの印加されるタイミングで映像信号に対応した書き込みパルスを印加する書き込み期間、（３）交互に反転した周期的電圧パルスを前記スキャン電極及び前記サステイン電極に印加する維持期間、の順に設定し、前記スキャン電極、前記サステイン電極及び前記アドレス電極へ印加する駆動電圧パルスのタイミングを、前記維持ブロックごとに一定の時間間隔をおいて順にシフトさせ、前記維持ブロックの各々の所定期間にスキャン動作パルスを動作及び停止させることを特徴とするＡＣ型プラズマディスプレイ駆動方法。
【請求項８】
前記維持ブロック毎に、前記スキャンクロックの周波数を変化させることを特徴とする請求項７記載のＡＣ型プラズマディスプレイ駆動方法。
【請求項９】
前記維持ブロックの各々をスキャンする順に、前記スキャンクロックの周波数を低くすることを特徴とする請求項８記載のＡＣ型プラズマディスプレイ駆動方法。
【請求項１０】
前記維持ブロックの各々において、前記スキャンクロックの周波数をサブフィールド順に、かつ、スキャンする前記維持ブロックの順に変化させ、前記サブフィールド順に変化させるスキャンクロックの周波数が、前記維持ブロックをスキャンする順に変化させるスキャンクロックの周波数と一致しないことを特徴とする請求項７記載のＡＣ型プラズマディスプレイ駆動方法。
【発明の詳細な説明】
【技術分野】
【０００１】
本発明は、電極結線（マトリクス）構造によるＡＣ駆動型プラズマディスプレイの駆動方法に関する。
【背景技術】
【０００２】
大画面化・薄型化が可能なプラズマディスプレイパネル（以下、ＰＤＰと称する）は、ガス放電に伴う発光及び紫外線による蛍光体の励起発光を利用した表示パネルであり、１セル当り３本の電極が設けられた３電極放電構造を持つ形が主に用いられる。
【０００３】
図５に、放電セルにおける３電極放電構造の模式断面図を示す。放電セル１００では、前面ガラス基板１０１上に、対になるスキャン電極１１とサステイン電極１２が平行して形成され、スキャン電極１１及びサステイン電極１２は透明誘電体層１０２及び保護層１０３で覆われている。前面ガラス基板１０１に対向配置される背面ガラス基板１０４上にはアドレス電極１３がスキャン電極１１及びサステイン電極１２に対し直交して形成され、その上には透明誘電体層１０５が設けられている。さらに透明誘電体層１０５の上には蛍光体１０６が塗布されている。
【０００４】
この放電セル１００においてスキャン電極１１とアドレス電極１３の間に放電開始電圧Ｖｆよりも高いパルス電圧（書き込みパルス）を印加すると放電が発生する。その時、正電圧を印加しているアドレス電極１３上の蛍光体１０６の壁面には負電荷が蓄積され、負電圧を印加しているスキャン電極１１側の保護層１０３付近の壁面には正電荷が蓄積される。また、同時に正電圧を印加しているサステイン電極１２側の保護層１０３付近の壁面には、アドレス電極１３と同じく負電荷が蓄積する。
【０００５】
この保護層１０３、蛍光体１０６の壁面に蓄積された電荷を壁電荷といい、この壁電荷によって誘起された電圧を壁電圧Ｖｗという。書き込みパルスを印加することで放電を発生させ壁電荷を生成させることをアドレス放電といい、ある単位ライン分のアドレス放電する期間を書き込み期間という。
【０００６】
スキャン電極１１側に正電荷、サステイン電極１２及びアドレス電極１３側に負電荷を蓄積させた状態で、スキャン電極１１とサステイン電極１２間にパルス状の高電圧Ｖｉを印加すると、壁電圧Ｖｗと印加電圧Ｖｉとの和（＝セル電圧Ｖｃ）が放電開始電圧Ｖｆを超えた場合、放電が発生する。一旦、放電が開始されると、常に前放電時の電極とは正負逆極性の壁電荷が再蓄積されるので、スキャン電極１１及びサステイン電極１２に交互に反転する周期的パルス電圧が印加し続ける間放電は維持される。この放電を維持放電といい、維持放電している期間を維持期間と呼ぶ。
【０００７】
印加電圧Ｖｉは放電開始電圧Ｖｆよりも低く設定し、壁電圧（壁電荷）が無い場合は、セル電圧Ｖｃ＝Ｖｗ＋Ｖｉ＝Ｖｉ＜Ｖｆとなり、維持放電が発生しないようにする。このように、アドレス放電によって発生する壁電圧Ｖｗの有無により、次に続く維持放電の有無を決定されることで選択的放電が実現できる。
【０００８】
図６は、従来のプラズマディスプレイ装置の概略構成を示すブロック図である。ＰＤＰ１は複数のスキャン電極１１、複数のサステイン電極１２及び複数のアドレス電極１３を有する。複数のアドレス電極１３は画面垂直方向に配列され、複数のスキャン電極１１及び複数のサステイン電極１２は画面水平方向に対になって配列されている。複数のサステイン電極１２はすべて同電位になるよう共通化されている。スキャン電極１１、サステイン電極１２及びアドレス電極１３の各交点に放電セル１００が形成され、表示画面上の画素として機能する。
【０００９】
スキャン回路１１１は複数のスキャン電極１１を順に駆動し、サステイン回路１１２は複数のサステイン電極１２を共通に駆動する。アドレス回路１１３は映像データに応じて複数のアドレス電極１３を１ライン分同時に駆動する。
【００１０】
図７にＡＣ型プラズマディスプレイ装置を駆動する際の駆動方法である、アドレス・発光分離（Ａｄｄｒｅｓｓ  Ｄｉｓｐｌａｙ−ｐｅｒｉｏｄ  Ｓｅｐａｒａｔｅｄ）駆動方式を示す。以下、ＡＤＳ駆動方式と略する。ＴＶ信号は、一般に１秒間に６０枚の画像を重ね合わせて映像を表示している。約１６．６ｍｓｅｃに１回の割合で画像を形成することになる。その１６．６ｍｓｅｃに相当する時間を１ＴＶフィールドとする。
【００１１】
図７に示すように、その１ＴＶフィールドは、複数のサブフィールドＳＦ１、ＳＦ２〜ＳＦＮに分割されており、各サブフィールドは書き込み期間Ｔａｄｒと維持期間Ｔｓｕｓ１、Ｔｓｕｓ２〜ＴｓｕｓＮから構成される。書き込み期間Ｔａｄｒでは、表示させるライン数分に相当する個数のスキャンパルスを順にスキャンする。
【００１２】
図８はＡＤＳ駆動方式におけるスキャン電極１１、サステイン電極１２及びアドレス電極１３の動作波形の一例を示す。図８に示すように、アドレス電極１３は、書き込み期間Ｔａｄｒにおいて、各ラインに表示するデータを各ラインのスキャンパルス幅Ｔｓｃ内でＨレベルもしくはＬレベルを設定する。Ｈ／Ｌレベルに対応するアドレス電圧は、それぞれ約６０／０Ｖである。アドレス電極１３によりＨレベルの電圧を印加された各ライン上の各画素空間には、壁電荷が蓄積されている。Ｌレベルの場合には壁電荷は蓄積されていない。壁電荷が蓄積されている画素は、各維持期間Ｔｓｕｓｉ（Ｎ＝１〜Ｎ）では放電が開始、維持されることとなる。
【００１３】
各サブフィールドの維持期間Ｔｓｕｓ１、Ｔｓｕｓ２〜ＴｓｕｓＮは、それぞれの重み付け比率が２の累乗（１（＝２0）：２（＝２1）：４（＝２2）：〜：２(N-1)）になるよう設定されている。各サブフィールドの発光時間を選択的に組み合わせることで、１〜２N段階の多階調表示をしている。例えば、Ｎ＝８の場合、１ＴＶフィールドは８個のサブフィールドで構成され、２8＝２５６階調表示が可能となる。
【００１４】
しかしＡＤＳ駆動方式では、一定期間の書き込み期間Ｔａｄｒを各サブフィールドにて確保する必要があり、少なくとも（サブフィールド数×Ｔａｄｒ）期間は非発光となる。階調数を多くするためにサブフィールドが増やす程またＨＤなどの高解像度表示にする程、非発光期間は多くなり、１ＴＶフィールドに対する発光時間は減り輝度を確保できないという課題がある。例えば、ＮＴＳＣ信号で画面上下２分割する駆動する場合、走査パルスＴｓｃ＝８μｓｅｃ程度に設定され、書き込み期間Ｔａｄｒ＝８×４８０／２＝１．９２（ｍｓｅｃ）となる。６ｂｉｔで多階調表示する際には、全書き込み期間は１．９２×６＝１１．５２（ｍｓｅｃ）となり、１ＴＶフィールド１６．６（ｍｓｅｃ）に対する発光時間の比率は（１６．６−１１．５２）／１６．６＝３０．６％と低い。
【００１５】
そこで、図６に示すようなプラズマディスプレイ装置において高輝度を確保するための手段の一つとして、特許文献１のような維持ブロック駆動方式が提案されている。これは、全ラインをスキャン・維持する維持ブロック毎に分割し、維持ブロック毎にアドレスおよび維持発光させるタイミングをシフトさせる方式である。以下、維持ブロック分割したＡＤＳ駆動方式の一例について図９を用いて説明する。
【００１６】
図９に示すプラズマディスプレイ装置におけるＰＤＰ１は、複数のスキャン電極１１、サステイン電極１２及びアドレス電極１３を含み、アドレス電極１３が画面の垂直方向に配列され、スキャン電極１１及びサステイン電極１２は画面の水平方向に配列されている。スキャン電極１１、サステイン電極１２及びアドレス電極１３の各交点に放電セル１００が形成され、各放電セル１００が表示画面上の画素を構成する。そして、維持ブロック駆動をするために、例えば、全Ｍラインを４つの維持ブロック毎のスキャン回路、サステイン回路に分ける。
【００１７】
図１０は、図９のＰＤＰ１におけるスキャン電極１１、サステイン電極１２及びアドレス電極１３に対して駆動電圧を印加するタイミングの一例を示すものである。
【００１８】
まず、第１サブフィールドＳＦ１では、第１〜第４の維持ブロックに対して初期化Ｉｎｉｔが行われた後、第１維持ブロックの書き込み期間Ｔａｄｒが開始され、維持期間Ｔｓｕｓへと続く。次に、第１維持ブロックの維持期間Ｔｓｕｓの約半分が終了した時点で第２維持ブロックの維持期間Ｔｓｕｓが開始されるように、第１維持ブロックの維持期間Ｔｓｕｓの開始から所定時間経過後に第２維持ブロックの書き込み期間Ｔａｄｒが開始され、第２維持ブロックの書き込み期間Ｔａｄｒが終了した後、第２維持ブロックの維持期間Ｔｓｕｓが開始される。以降第２維持ブロックと同様に第３及び第４維持ブロックの書き込み期間Ｔａｄｒ及び維持期間Ｔｓｕｓが開始される。第２サブフィールドＳＦ２以降も同様に、維持ブロック毎にタイミングがシフトされた形で初期化Ｉｎｉｔ、書き込み期間Ｔａｄｒ、維持期間Ｔｓｕｓが逐次実行される。
【００１９】
ここで、上述の維持ブロック駆動においては、維持ブロック毎の書き込み期間Ｔａｄｒは、全ラインの書き込みに要する時間を、分割する維持ブロック数で割った値となり、例えば図１０の例では、書き込み期間Ｔａｄｒは全ライン分の時間の１／４となる。そして、維持ブロック毎におけるＡＤＳ動作でアドレス時間を短縮し、維持期間を前倒しにしてサブフィールド数を多くし、あるいは維持期間を延長することで高輝度化を図ることが可能となる。
【特許文献１】特開２００１−２６５２８１号公報
【発明の開示】
【発明が解決しようとする課題】
【００２０】
上述した構成においては、一般的に、スキャンドライバの内部構成と出力されるスキャンパルスとの関係は以下のとおりとなる。図１１は、６４段の出力をもつスキャンドライバを例として示したものであり、スキャンドライバーは大きく分けて、ロジック部と出力部から構成される。
【００２１】
ロジック部は、６４ｂｉｔシフトレジスタとラッチ回路から構成される。電源Ｖｄｄは通常３．３〜５Ｖ位の電圧を用いる。６４ｂｉｔシフトレジスタは、シフト入力パルスＤＩをスキャンクロックＳＣＬＫ単位で１クロックずつ位相シフトさせ、Ｐ０〜Ｐ６３の６４個のシフトパルスを逐一出力し、ラッチ回路は、６４ｂｉｔシフトレジスタから出力された６４個のシフトパルスをＬＥ（ラッチイネーブル）信号で一度にラッチする機能を有するが、スキャン動作に用いる場合はラッチせずに、仕様によってＨレベルまたはＬレベルに固定し、６４ｂｉｔシフトレジスタからの出力をスルーする。このドライバをアドレスドライバとして用いる場合は、スキャンするライン単位時間毎に一度にデータを出力するために上記ラッチ機能を用いる。また、６４番目まで位相をシフトされたパルスは、例えば、次のスキャンドライバに渡すためのシフト出力パルスＤＯとして出力される。スキャンドライバをカスケード接続する場合には、このシフト出力パルスＤＯは、次段スキャンドライバのシフト入力パルスＤＩとなる。
【００２２】
次に、振幅Ｖｄｄの６４個のシフトパルスは出力部へ渡される。出力部は、セレクタ回路とアンプ回路から構成され、６４個のシフトパルスは、ＯＥ（アウトプットイネーブル）信号で出力選択され、そしてアンプ回路で振幅Ｖｈ＝約１００〜１３０Ｖのスキャンパルスに増幅される。また、出力保護のため、出力段がＶｈとＶｓｓレベルの両方にダイオードを介して接続されている。
【００２３】
ここで、ＶｓｓはＧＮＤレベルではなく、スキャン回路の出力電圧レベルに設定される。ここで述べる出力電圧レベルとは、回路的にスキャンドライバに入力する以前の電圧値を指す。スキャンドライバの耐圧は約１３０Ｖが上限であるが、実際にスキャン電極に印加する出力電圧は振幅２００Ｖ以上の電圧であるため、動作基準レベルであるＶｓｓをＧＮＤレベルに設定すると、そのまま出力電圧レベルを入力すると耐圧を超えてしまいドライバを破壊することになる。Ｖｓｓに出力電圧レベルを設定すれば、そのＶｓｓ電圧レベルに対しスキャンドライバが動作することになる。スキャンドライバに印加されるのはスキャンドライバ動作電圧Ｖｈのみになり、耐圧を超えることなくスキャンドライバを動作させ、スキャンパルスをスキャン電極に印加することができる。
【００２４】
このスキャンクロックを必要とするのは書き込み期間のみで、それ以外の期間は停止させている。スキャンパルスがスキャンドライバ内部のシフトレジスタ内をシフトし終えた後もシフトクロックを動作させると、無駄な電力を消費し、かつ電磁波の不要輻射ノイズも多くなってしまうためである。すなわち、従来のＡＤＳ駆動方式においては、各サブフィールド内の書き込み期間は、全ラインが同じタイミングで始まり同じタイミングで終了する。書き込み特性の均一化を図るために画面上下で書き込み期間を多少変化させているが、ほぼ同じ時間位置で、ラインをスキャンしデータを書き込んでいる。このとき、各サブフィールドの書き込み期間内に、スキャンクロック周波数をもって全スキャンドライバが一斉に動作することになり、スキャンドライバを駆動するだけの電流が流れる。不要輻射は、一般に輻射源を流れる電流値の２乗に比例し大きくなり、この場合スキャンクロックの周波数帯付近における電磁波の不要輻射のピークが、スキャンドライバ１個を駆動する場合に比べ大きくなる。また、スキャンし終えたスキャンドライバがシフトするスキャンパルスのないまま書き込み期間内でスキャンクロック周波数をもって動作することになり、余分の電力を消費する。書き込み期間に一斉にスキャンドライバがスキャンクロックにて動作することで、例えばクロック動作開始時に流れるピーク電流が増大し、電源の一時的負荷が大きくなってしまう。
【００２５】
本発明は上記課題に鑑みてなされたものであり、電磁波の不要輻射を低減することで消費電力を削減し、また、不要輻射のピークを抑えることで不要な電磁波の不要輻射を防止するための部品点数を削減し、低コスト化することができるＡＣ型プラズマディスプレイ装置およびその駆動方法を実現することを目的とする。
【課題を解決するための手段】
【００２６】
上記目的を実現するために本発明のＡＣ型プラズマディスプレイ装置は、放電空間を挟んで対向配置された前面基板及び背面基板と、前記前面基板の内面に設けられたスキャン電極とサステイン電極で構成されるＭ個の行電極対と、前記行電極対を覆う誘電体を含む保護層と、前記背面基板の内面に設けられ前記行電極対に交差して配列されたＬ個のアドレス電極と、前記列電極を覆う誘電体層と、前記誘電体層を覆う蛍光体層と、前記背面基板に形成された隔壁間に塗布されている蛍光体と前記放電空間に充填された紫外光発生用の放電気体によって形成された三原色の放電発光セル群とを具備し、複数の前記サステイン電極を共通接続した結線群を１単位とする複数の維持ブロックと、複数の前記スキャン電極に放電電圧を印加するための多段出力を持つ複数のスキャンドライバを有するＭ×Ｌマトリクス構造のＡＣ型プラズマディスプレイ装置において、前記維持ブロックの各々に対し、前記スキャンドライバから前記維持ブロックの各々へ出力されるスキャン動作パルスを独立に動作及び停止させる制御回路を有することを特徴とするものである。
【００２７】
また、上記目的を実現するために本発明のＡＣ型プラズマディスプレイ装置の駆動方法は、本発明のＡＣ型プラズマディスプレイ装置の駆動方法であって、映像信号の各フィールドを複数個に分割したサブフィールド駆動を用い、各サブフィールドでは、（１）放電セルを初期化する初期期間、（２）各維持ブロック内の複数の前記スキャン電極にはそれぞれ位相のシフトしたスキャンパルスを含むスキャン電圧波形を順に印加し、前記アドレス電極には前記スキャンパルスの印加されるタイミングで映像信号に対応した書き込みパルスを印加する書き込み期間、（３）交互に反転した周期的電圧パルスを前記スキャン電極及び前記サステイン電極に印加する維持期間、の順に設定し、前記スキャン電極、前記サステイン電極及び前記アドレス電極へ印加する駆動電圧パルスのタイミングを、前記維持ブロックごとに一定の時間間隔をおいて順にシフトさせ、前記維持ブロックの各々の所定期間にスキャン動作パルスを動作及び停止させることを特徴とするものである。
【発明の効果】
【００２８】
本発明のＡＣ型プラズマディスプレイ装置及び駆動方法によれば、複数のサステイン電極を共通接続した結線群を１単位とする複数の維持ブロックと、各維持ブロック別のスキャン電極に放電電圧を印加するスキャンドライバを有するマトリクス構造のＡＣ型プラズマディスプレイ装置において、維持ブロック毎にスキャンクロックを動作または停止させることで、電磁波の不要輻射を低減し、かつ消費電力を削減することができる。また、各維持ブロックのスキャンクロックの周波数を可変させることで不要輻射のピークを抑えることができ、もって、不要な電磁波の不要輻射を防止する種々の対策のための部品点数が削減でき、より低コスト化することができる。
【００２９】
また、現在技術革新が著しいプラズマディスプレイ装置をはじめとする映像表示装置に関して、不要輻射及び消費電力を低減する本発明を用いれば、地球環境にも優しいこととなる。
【発明を実施するための最良の形態】
【００３０】
すなわち、本発明の請求項１に記載の発明は、放電空間を挟んで対向配置された前面基板及び背面基板と、前記前面基板の内面に設けられたスキャン電極とサステイン電極で構成されるＭ個の行電極対と、前記行電極対を覆う誘電体を含む保護層と、前記背面基板の内面に設けられ前記行電極対に交差して配列されたＬ個のアドレス電極と、前記列電極を覆う誘電体層と、前記誘電体層を覆う蛍光体層と、前記背面基板に形成された隔壁間に塗布されている蛍光体と前記放電空間に充填された紫外光発生用の放電気体によって形成された三原色の放電発光セル群とを具備し、複数の前記サステイン電極を共通接続した結線群を１単位とする複数の維持ブロックと、複数の前記スキャン電極に放電電圧を印加するための多段出力を持つ複数のスキャンドライバを有するＭ×Ｌマトリクス構造のＡＣ型プラズマディスプレイ装置において、前記維持ブロックの各々に対し、前記スキャンドライバから前記維持ブロックの各々へ出力されるスキャン動作パルスを独立に動作及び停止させる制御回路を有することを特徴とするＡＣ型プラズマディスプレイ装置である。
【００３１】
また、請求項２に記載の発明は、請求項１記載の発明において、前記維持ブロックの個数が２の累乗であることを特徴とするものである。
【００３２】
また、請求項３に記載の発明は、請求項１記載の発明において、前記スキャン動作パルスは、前記スキャンドライバを動作させるクロック及びシフトされるスキャンパルスであることを特徴とするものである。
【００３３】
また、請求項４に記載の発明は、請求項１記載の発明において、前記スキャンクロックの周波数は、前記維持ブロックの各々において可変させることを特徴とするものである。
【００３４】
また、請求項５に記載の発明は、請求項１記載の発明において、前記スキャン動作パルスを独立に動作及び停止させる単位は、少なくとも１つ以上の前記維持ブロックであることを特徴とするものである。
【００３５】
また、請求項６に記載の発明は、請求項１記載の発明において、前記維持ブロックに含まれる個々の前記サステイン電極が互いに隣り合わないように、別の前記維持ブロックに含まれるサステイン電極と交互に配列したことを特徴とするものである。
【００３６】
請求項７に記載の発明は、請求項１から６のいずれかに記載のＡＣ型プラズマディスプレイ装置の駆動方法であって、映像信号の各フィールドを複数個に分割したサブフィールド駆動を用い、各サブフィールドでは、（１）放電セルを初期化する初期期間、（２）各維持ブロック内の複数の前記スキャン電極にはそれぞれ位相のシフトしたスキャンパルスを含むスキャン電圧波形を順に印加し、前記アドレス電極には前記スキャンパルスの印加されるタイミングで映像信号に対応した書き込みパルスを印加する書き込み期間、（３）交互に反転した周期的電圧パルスを前記スキャン電極及び前記サステイン電極に印加する維持期間、の順に設定し、前記スキャン電極、前記サステイン電極及び前記アドレス電極へ印加する駆動電圧パルスのタイミングを、前記維持ブロックごとに一定の時間間隔をおいて順にシフトさせ、前記維持ブロックの各々の所定期間にスキャン動作パルスを動作及び停止させることを特徴とするＡＣ型プラズマディスプレイ駆動方法である。
【００３７】
また、請求項８に記載の発明は、請求項７記載の発明において、前記維持ブロック毎に、前記スキャンクロックの周波数を変化させることを特徴とするものである。
【００３８】
また、請求項９に記載の発明は、請求項８記載の発明において、前記維持ブロックの各々をスキャンする順に、前記スキャンクロックの周波数を低くすることを特徴とするものである。
【００３９】
また、請求項１０に記載の発明は、請求項７記載の発明において、前記維持ブロックの各々において、前記スキャンクロックの周波数をサブフィールド順に、かつ、スキャンする前記維持ブロックの順に変化させ、前記サブフィールド順に変化させるスキャンクロックの周波数が、前記維持ブロックをスキャンする順に変化させるスキャンクロックの周波数と一致しないことを特徴とするものである。
【００４０】
以下、本発明の一実施の形態によるＡＣ型プラズマディスプレイ装置について図面を用いて説明する。図１は、本発明の一実施の形態によるＡＣ型プラズマディスプレイ装置の概略構成を示すブロック図である。
【００４１】
本発明の一実施の形態によるＡＣ型プラズマディスプレイ装置は、スキャン電極１１とサステイン電極１２からなる行電極対１４（以下、ラインと称する）と、横画素分のアドレス電極１３を含むマトリクス構造をもつ。アドレス電極１３は画面の垂直方向に配列され、スキャン電極１１及びサステイン電極１２は画面の水平方向に配列されている。スキャン電極１１、サステイン電極１２及びアドレス電極１３の各交点に放電セル１００が形成され、各放電セル１００が表示画面上の単位画素を構成する。スキャン回路１Ｆは、主に、スキャンドライバ１Ｆ−１〜１Ｆ−６のスキャンドライバ群と、スキャン動作パルスとしてのスキャンクロック１Ａやスタートパルス１Ｂをスキャンブロック制御信号１Ｃによって時間方向に分配するブロック別切換回路１Ｄから構成されている。サステイン回路１Ｇは複数のサステイン電極１２の単位本数分を維持ブロック１Ｈ−１、１Ｈ−２、１Ｈ−３毎に共通化し駆動する。アドレス回路（図示せず）は、複数のアドレス電極１３を駆動するドライバ回路であり、スキャン電極１１に印加されるスキャンパルスのタイミングに同期して、サブフィールド方向に変換された映像データを書き込みパルスとして１ライン毎に横画素分を同時に出力する。
【００４２】
図１では、スキャンドライバ１Ｆ−１と１Ｆ−２、１Ｆ−３と１Ｆ−４、１Ｆ−５と１Ｆ−６がそれぞれカスケード接続されており、各維持ブロック１Ｈ−１、１Ｈ−２、１Ｈ−３をスキャンするドライバ回路として機能する。また、各維持ブロック１Ｈ−１、１Ｈ−２、１Ｈ−３が保有するサステイン電極１２は、それぞれサステイン回路１Ｇ内のサステインドライバ１Ｇ−１、１Ｇ−２、１Ｇ−３に接続されており、サステインドライバ内でそれぞれ共通に結線されている。即ち、サステインドライバの数だけ維持ブロック駆動単位が形成されていることになる。サステインドライバ１Ｇ−１を含む駆動単位が第１維持ブロック１Ｈ−１、サステインドライバ１Ｇ−２を含む駆動単位が第２維持ブロック１Ｈ−２、サステインドライバ１Ｇ−３を含む駆動単位が第３維持ブロック１Ｈ−３となる。アドレス回路は、サブフィールド単位に変換されたシリアルデータをパラレルデータに変換し、そのパラレルデータに基づいて複数のアドレス電極１３を駆動する。
【００４３】
スキャン回路１Ｆは、ブロック別切換回路１Ｄから出力されるスキャンクロック１Ａ及びスタートパルス１Ｂに応じて、第１維持ブロック１Ｈ−１、第２維持ブロック１Ｈ−２、第３維持ブロック１Ｈ−３のスキャン電極１１を順にスキャンする。サステインドライバ１Ｇ−１、１Ｇ−２、１Ｇ−３は、それぞれ第１維持ブロック１Ｈ−１、第２維持ブロック１Ｈ−２、第３維持ブロック１Ｈ−３のサステイン電極１２をそれぞれ一括に駆動する。
【００４４】
ブロック別切換回路１Ｄは、スキャンクロック１Ａを受け取り、スキャンブロック制御信号１Ｃに基づいて、各維持ブロック１Ｈ−１、１Ｈ−２、１Ｈ−３をスキャンするためのスキャンクロック１Ｅ−１、１Ｅ−２、１Ｅ−３を出力する。同時に、ブロック別切換回路１Ｄは、受け取ったスタートパルス１Ｂをスキャンブロック制御信号１Ｃに基づいて各維持ブロック１Ｈ−１、１Ｈ−２、１Ｈ−３をスキャンするためのスタートパルス１Ｅ−４、１Ｅ−５、１Ｅ−６を出力する。図１では、スタートパルス１Ｂをブロック別切換回路１Ｄから受け取る形にしているが、各維持ブロックの書き込み期間が時間方向に連続して行われる場合は、スキャンし終えた維持ブロックが最後の出力段から出力されるスキャンパルスをスタートパルス１Ｂとして次段の維持ブロックへ出力した後、前段の維持ブロックのスキャンクロック１Ｅ−１、１Ｅ−２または１Ｅ−３を停止する構成でもよい。
【００４５】
各維持ブロック１Ｈ−１、１Ｈ−２、１Ｈ−３へ供給されているスキャンクロック１Ｅ−１、１Ｅ−２、１Ｅ−３は個々に周波数を変化させることも可能である。スキャンクロック１Ａとスキャンブロック制御信号１Ｃとを時間方向で同期させて、該当するスキャンする維持ブロックの選択期間に、所定の周波数をもつスキャンクロック１Ａを入力し、スキャンブロック制御信号１Ｃによりブロック別切換回路１Ｄを該当する維持ブロックへ切り替えればよい。各維持ブロック１Ｈ−１、１Ｈ−２、１Ｈ−３へ最初から異なる周波数のスキャンクロック１Ｅ−１、１Ｅ−２、１Ｅ−３を入力し続けてもよいが、比較的周波数の高いスキャンクロック（５００ｋ〜１ＭＨｚ程度）を常時入力するのは、ノイズ、消費電力、回路規模等を考慮すると望ましくない。
【００４６】
図１に示すＡＣ型プラズマディスプレイ装置は、従来のスキャン動作パルス出力１系統を、維持ブロック１Ｈ−１、１Ｈ−２、１Ｈ−３毎に各１系統ずつブロック別切換回路１Ｄでスイッチ分割するような構成となっている。図１では、１つの維持ブロックに対するスキャンドライバの割り当ては２個としている。スキャンするタイミングを決定するスキャンクロック１Ａ及びスキャン動作を開始させるスタートパルス１Ｂをブロック別切換回路１Ｄへ入力し、スキャンブロック制御信号１Ｃによって各維持ブロック１Ｈ−１、１Ｈ−２、１Ｈ−３への割り当て及びタイミングを決定し、個々に出力する。従来の構成では維持ブロックは勿論１系統で、時間方向においてスキャンしないときのスキャンドライバ１Ｇ−１、１Ｇ−２または１Ｇ−３へもスキャンクロック１Ａは入力されていることになる。本発明の構成によれば、例えば、スキャンクロック１Ａをスキャンしている維持ブロック１Ｈ−１、１Ｈ−２、１Ｈ−３のいずれかのみに供給し、それ以外の維持ブロックへは供給しないことで、スキャンクロック１Ａの周波数でピークをもつ電磁波の不要輻射を低減することができる。また、スキャンしている各維持ブロックに対応するスキャンクロック周波数の値を変え、スキャンクロック１Ａでの不要輻射のピークを周波数方向に分散させることで、全体的な不要輻射を低減する。
【００４７】
同時に、時間方向においてスキャンしないスキャンドライバ１Ｆ−１と１Ｆ−２、１Ｆ−３と１Ｆ−４、１Ｆ−５と１Ｆ−６において、スキャンクロック１Ｅ−１、１Ｅ−２または１Ｅ−３を入力しないことで、スキャンドライバ１Ｇ−１、１Ｇ−２または１Ｇ−３内部のシフトレジスタのロジック動作電力を削減することも可能である。また、書き込み期間内にスキャンドライバ１Ｆ−１と１Ｆ−２、１Ｆ−３と１Ｆ−４、１Ｆ−５と１Ｆ−６に流れるピーク電流を抑制することで、電源の負荷を軽減できる。
【００４８】
以上より、ブロック別切換回路１Ｄは、維持ブロック１Ｈ−１、１Ｈ−２、１Ｈ−３の各々に対し、スキャンドライバ１Ｆ−１と１Ｆ−２、１Ｆ−３と１Ｆ−４、１Ｆ−５と１Ｆ−６から維持ブロック１Ｈ−１、１Ｈ−２、１Ｈ−３の各々へ出力されるスキャン動作パルスを独立に動作及び停止させる制御回路として機能するものである。
【００４９】
本説明では維持ブロックは３つに設定したが、維持ブロックの個数はこの例に特に限定されず、２分割、６分割、８分割等の他の分割数であってもよい。また、維持ブロックの個数は２の累乗個であると制御回路の簡素化が図れる。仮に維持ブロックの個数が６個だとすると、維持ブロック制御する信号は３ｂｉｔ（３本）必要であり、維持ブロックの個数が８個の場合と制御信号の規模は変わらない。また制御回路内のレジスタ規模を例にとってみても同様のことがいえる。維持ブロックの個数が４個もしくは６個の選択肢がある場合は、制御の簡素化の観点からみれば４個を選択する方が望ましい。また、維持ブロックを構成するスキャンドライバの個数は、２の累乗個に限らない。書き込み特性の均一化を図るため、各々の維持ブロック毎にスキャンドライバ数を可変させてもよい。
【００５０】
さらに、各維持ブロックの維持期間が互いに重複しないように維持ブロック毎に維持期間をずらしてスキャン電極１１およびサステイン電極１２を維持放電させることで、同時に維持放電を行うスキャン電極１１およびサステイン電極１２の数は１／維持ブロック数＝１／３になり、不要な電磁波の不要輻射のピークを低減すると共に、維持期間のピーク電流を１／３に低減することで消費電力を削減することができる。
【００５１】
次に、本発明の一実施の形態によるＡＣ型プラズマディスプレイ駆動方法の一例を図２に示す。図２は、図１に示す本発明の一実施の形態によるＡＣ型プラズマディスプレイ装置における、スキャン電極１１、サステイン電極１２及びアドレス電極１３の駆動方法の一例を示すタイミングチャートである。
【００５２】
図２に示すように、各フィールドは複数のサブフィールドに分割される。各サブフィールドでは、壁電荷を調整するセットアップ動作を行う初期化期間２１、アドレス放電を行う書き込み期間２２及び維持放電を行う維持期間２３により構成される。各サブフィールドは維持期間２３の長さが異なり、各サブフィールドの点灯期間を変えることにより、例えば２５６階調の階調表示が行われる。
【００５３】
初期化期間２１では、微弱な初期化放電が起こり、放電セル１００の各壁面には微弱な壁電圧が蓄積される。書き込み期間２２では、映像信号に応じてオンまたはオフする書き込みパルスがアドレス回路により各アドレス電極１３に印加され、この書き込みパルスと同期して、図１に示すスキャンドライバ１Ｆ−１〜１Ｆ−６によりスキャン電極１１にスキャンパルスが順に印加される。このとき、表示すべき放電セル１００に対応するアドレス電極１３とスキャン電極１１との間の電圧は、書き込みパルス電圧とスキャンパルス電圧とを加算した電圧に、初期化期間２１にスキャン電極１１とアドレス電極１３のそれぞれに蓄積された壁電圧がさらに加算されたものとなる。従って、アドレス電極１３とスキャン電極１１との間にアドレス放電が起こり、各電極には選択的に壁電圧が蓄積される。
【００５４】
次に、維持期間２３において、スキャンドライバ１Ｆ−１〜１Ｆ−６により維持パルスがスキャン電極１１に印加される。このとき、アドレス放電を起こした放電セル１００におけるスキャン電極１１とサステイン電極１２との間の電圧は、維持パルス電圧に、書き込み期間２２において蓄積されたスキャン電極１１とサステイン電極１２間の壁電圧が加算されたものとなる。このため、アドレス放電を起こした放電セル１００では、スキャン電極１１とサステイン電極１２との間に維持放電が起こり、この維持放電を起こした放電セル１００では、前放電前とは正負逆極性の壁電圧が蓄積される。この後、スキャン電極１１とサステイン電極１２には交互に反転した維持パルスが周期的に印加されている間、維持放電が行われる。第２サブフィールドＳＦ２以降も同様に選択的にアドレス放電が行われ維持放電する。
【００５５】
サステインドライバ１Ｇ−１、１Ｇ−２、１Ｇ−３をそれぞれ含むサステイン回路１Ｇ及びアドレス回路により、維持ブロック１Ｈ−１、１Ｈ−２、１Ｈ−３毎に放電タイミングが以下のように制御される。
【００５６】
まず、第１サブフィールドＳＦ１では、維持ブロック１Ｈ−１、１Ｈ−２、１Ｈ−３各々に対して初期化期間２１が開始される。その後、第１維持ブロック１Ｈ−１の書き込み期間２２が開始され、その後、維持期間２３が開始される。第１維持ブロック１Ｈ−１から一定時間間隔をおいて、第２維持ブロック１Ｈ−２の初期化期間２１が開始される。第３維持ブロック１Ｈ−３の場合も同様に、それぞれ一定時間間隔をおいて初期化期間２１が開始される。次に、第１維持ブロック１Ｈ−１の維持期間２３の半分以上が終了した時点で第２維持ブロック１Ｈ−２の維持期間２３が開始されるように、第１維持ブロック１Ｈ−１の維持期間２３の開始から所定時間経過後に第２維持ブロック１Ｈ−２の書き込み期間２２が開始され、第２維持ブロック１Ｈ−２の書き込み期間２２が終了した後、第２維持ブロック１Ｈ−２の維持期間２３が開始される。以降、第２維持ブロック１Ｈ−２と同様に第３維持ブロック１Ｈ−３の初期化期間２１、書き込み期間２２及び維持期間２３が順に開始される。
【００５７】
第２サブフィールドＳＦ２では、第２維持ブロック１Ｈ−２の第１サブフィールドＳＦ１の維持期間２３が終了した後、第１維持ブロック１Ｈ−１の初期化期間２１が開始される。その後、第１維持ブロック１Ｈ−１の書き込み期間２２が開始され、第１維持ブロック１Ｈ−１の書き込み２２期間が終了した後、第１維持ブロック１Ｈ−１の維持期間２３が開始される。第１維持ブロック１Ｈ−１の書き込み期間２２が終了した時点で第２維持ブロック１Ｈ−２の初期化期間２１が開始される。第２維持ブロック１Ｈ−２の初期化期間２１の終了後、第２維持ブロック１Ｈ−２の書き込み期間２２が開始され、第２維持ブロック１Ｈ−２の書き込み期間２２が終了した後、第２維持ブロック１Ｈ−２の維持期間２４が開始される。以降第２維持ブロックと同様に第３維持ブロックの初期化期間２２、書き込み期間２２及び維持期間２３が開始される。
【００５８】
次に、ある維持ブロックの維持期間中に他の維持ブロックがアドレス放電を行う場合において、アドレス電極１３、スキャン電極１１及びサステイン電極１２の駆動電圧の印加するタイミングについて述べる。例えば、第１サブフィールドＳＦ１では、第１維持ブロック１Ｈ−１の維持期間２３に第２維持ブロック１Ｈ−２の書き込み期間２２が設定されており、第１維持ブロック１Ｈ−１の維持期間２３では、スキャン電極１１及びサステイン電極１２にはそれぞれ維持パルスが印加されている。一方、第１維持ブロック１Ｈ−１の維持期間２３中のスキャン電極１１が０Ｖで、サステイン電極１２に維持パルスが印加されている期間に、個々のスキャン電極１１に印加されるスキャンパルスに対応して、第２維持ブロック１Ｈ−２のアドレス電極１３には書き込みパルスが印加される。これにより、各維持ブロック１Ｈ−１、１Ｈ−２、１Ｈ−３に対してアドレス電極１３が共通に使用されるような現構成でも、印加するスキャンパルス、書き込みパルス及び維持パルスを印加するタイミングを工夫することで、各電極に印加される駆動パルスの維持ブロック間干渉を無くし、維持放電及びアドレス放電を平行して安定に行うことができる。第２サブフィールド以降も同様な駆動パルスの加え方の工夫により時間を有効に活用することができる。
【００５９】
サステイン電極１２をすべて一括に駆動する従来のＡＤＳ駆動方法に対し、本発明に示す維持ブロック分割型の駆動方法を用いると、各維持ブロックにおいて、書き込み期間が短縮されることで、例えばサブフィールド数を多くして階調数を増やし動画擬似輪郭を低減し、また各サブフィールドにおける維持期間を延長して輝度向上を図ることもできる。
【００６０】
本発明のＡＣ型プラズマディスプレイ駆動方法を用いると、スキャンクロック１Ｅ−１、１Ｅ−２、１Ｅ−３を個々に独立に印加あるいは停止することによる、電磁波の不要輻射の低減について図３を用いて説明する。
【００６１】
図３は、従来のＡＤＳ駆動と、サステイン電極をブロック分割駆動した場合の不要輻射のピークの変化を比較して示したものである。図３（ａ）は、同時に駆動するサステインドライバを減らした場合、つまり維持ブロック分割駆動をした場合の不要輻射のピークの変化を表し、図３（ｂ）は、各維持ブロックのスキャンクロック１Ｅ−１、１Ｅ−２、１Ｅ−３の周波数を変化させた場合の不要輻射のピークの変化を示す。
【００６２】
図３（ａ）では、従来のＡＤＳ駆動における輻射のピーク３１Ａに対し、維持ブロック分割駆動のピーク３１Ｂは小さい値となる。同時に駆動するスキャンドライバの少ない維持ブロック分割駆動のほうが、電源から見れば流す電流量はスキャンドライバの個数分だけ少なくなる。そのため、流れる電流量の２乗に比例する不要輻射は低減される。一方、図３（ｂ）は、従来のＡＤＳ駆動における不要輻射のピーク３１Ａに対し、各維持ブロック１Ｈ−１、１Ｈ−２、１Ｈ−３毎に、それぞれのスキャンクロック１Ｅ−１、１Ｅ−２、１Ｅ−３の周波数を変化させた場合を示す。各維持ブロックのスキャンクロック１Ｅ−１、１Ｅ−２、１Ｅ−３の周波数を変えることで、周波数軸上の不要輻射のピークは分散し、それぞれスキャンクロック１Ｅ−１、１Ｅ−２、１Ｅ−３の周波数帯で、ピーク３１Ｃ−１、３１Ｃ−２、３１Ｃ−３を持つ。このように、周波数帯を分散させることでも不要輻射は低減される。
【００６３】
次に、本発明の他の実施の形態によるＡＣ型プラズマディスプレイ駆動方法について述べる。サブフィールド方向に維持発光が進行すると、放電セル１００内の空間電荷が徐々に蓄積されていくことで、データパルス印加時に発生するアドレス放電の起こり易さ、すなわち書き込み特性は良化する。すると、スキャンパルスの時間幅は小さくてもアドレス放電が発生することになる。また、維持ブロック１Ｈ−１、１Ｈ−２、１Ｈ−３が画面方向にスキャンする順番が遅くなるほど、まだ書き込まれていない放電セル１００において、初期化期間２１において発生した空間電荷が徐々に減り、前述のアドレス放電が発生し難くなる。すなわち、スキャンする順番が遅い維持ブロックほど、スキャンパルスの時間幅が大きくないとアドレス放電できなくなり、書き込み特性が悪化する。そこで、現在のＡＣ型プラズマディスプレイ装置では、維持ブロック１Ｈ−１、１Ｈ−２、１Ｈ−３におけるスキャンクロック１Ｅ−１、１Ｅ−２、１Ｅ−３の周波数をサブフィールド方向へ徐々に高くし、同時に、スキャンする維持ブロック１Ｈ−１、１Ｈ−２、１Ｈ−３の順に小さくさせることで、書き込み特性の均一化が図れる。
【００６４】
しかし、サブフィールド方向へはスキャンクロックの周波数を徐々に高くし、スキャン方向へはスキャンクロックの周波数を徐々に低くすると、同じ周波数で動作するスキャンクロックが時間方向もしくは画面方向に混在する可能性が生じる。もし同周波数が混在した場合、前に述べたように、不要輻射のピークが大きくなる。そこで、サブフィールド方向へ変化させるスキャンクロックの周波数と、スキャン方向へ変化させるスキャンクロック周波数を一致させることなく駆動することで、不要輻射のピークの増大を抑制することができる。図４は、サブフィールド方向及びスキャン方向へのスキャンクロック周波数の割り当て構成の概略を示したものである。維持ブロック１Ｈ−１のサブフィールドＳＦ１では周波数ａのスキャンクロックをもち、サブフィールドＳＦ２以降へは徐々に異なる周波数ｂからｅを割り当てていく。同時に、画面方向すなわち維持ブロックのスキャン方向へも同様に、異なる周波数ｂ'からｃ'を割り当てていく。そこで、ａ〜ｅもしくはａ〜ｃ'の周波数のうち、一致する組み合わせが生じるような維持ブロック分割駆動をした場合、その周波数でピークをもつ不要輻射が増大する。そのため、前述のａ〜ｅもしくはａ〜ｃ'の周波数のうち、一致する組み合わせのない駆動を行えば、不要輻射の増大を抑制することが可能である。
【００６５】
なお、ここで述べる"一致しない周波数"とは、互いに干渉することのないスキャンクロックの周波数であり、完全には一致しておらず、「ほぼ」一致しているという場合も含む。周波数の値は若干異なっていても、非常に値の近い周波数をもつスキャンクロックは、互いに干渉し、新たな不要輻射ノイズの発生を引き起こす可能性があるためである。
【００６６】
なお上述した本発明の実施の形態における説明は、それらのサブフィールドに対し限定されるものではなく、第３サブフィールド以降にも同様に適用することができる。また、本発明の実施の形態に示す種々の駆動方法を組み合わせて用いてもよい。また、その他、例示はしないが、実施の形態に示す本発明はその主旨を逸脱しない範囲で種々変更を加え得るものとする。
【００６７】
また、以上述べた本発明の実施の形態については、プラズマディスプレイのみならず、画像表示を行う際に電流を多く必要とするマトリックス構造をもつ表示装置に対しても適用できるものである。
【産業上の利用可能性】
【００６８】
以上のように本発明によれば、複数のサステイン電極を共通接続した結線群を１単位とする複数の維持ブロックと、各維持ブロック別のスキャン電極に放電電圧を印加するスキャンドライバを有するマトリクス構造のＡＣ型プラズマディスプレイ装置において、維持ブロック毎にスキャンクロックを動作または停止させることで、電磁波の不要輻射を低減し、かつ消費電力を削減させることができる。また、各維持ブロックのスキャンクロックの周波数を可変させることで不要輻射のピークを抑えることができ、もって、不要な電磁波の不要輻射を防止する種々の対策のための部品点数が削減でき、より低コスト化させることができる。
【００６９】
また、現在技術革新が著しいプラズマディスプレイ装置をはじめとする映像表示装置に関して、不要輻射及び消費電力を低減する本発明を用いれば、地球環境にも優しい映像表示装置を提供できる。
【図面の簡単な説明】
【００７０】
【図１】本発明の一実施の形態によるＡＣ型プラズマディスプレイ装置の概略構成を示すブロック図
【図２】本発明の一実施の形態によるＡＣ型プラズマディスプレイ装置の駆動方法の一例を示すタイミングチャート
【図３】従来のＡＤＳ駆動と、維持ブロック分割駆動との不要輻射の変化を比較した図
【図４】サブフィールド方向及びスキャン方向へのスキャンクロック周波数の割り当て構成を示す図
【図５】放電セルにおける３電極放電構造の概略構成を示す断面図
【図６】従来のプラズマディスプレイ装置の概略構成を示すブロック図
【図７】ＡＤＳ駆動方式を説明するための図
【図８】ＡＤＳ駆動方式におけるスキャン電極、サステイン電極及びアドレス電極の動作波形の一例を示す図
【図９】維持ブロック分割したＡＤＳ駆動方式におけるＡＣ型プラズマディスプレイ装置の概略構成を示す図
【図１０】維持ブロック分割したＡＤＳ駆動方式のタイミングチャートの一例を示す図
【図１１】一般的なスキャンドライバの概略構成を示すブロック図
【符号の説明】
【００７１】
１  ＰＤＰ
１１  スキャン電極
１２  サステイン電極
１３  アドレス電極
１４  行電極対
２１  初期化期間
２２  書き込み期間
２３  維持期間
１００  放電セル
１０１  前面ガラス基板
１０２  透明誘電体層
１０３  保護層
１０４  背面ガラス基板
１０５  透明誘電体層
１０６  蛍光体
１１１  スキャン回路
１１２  サステイン回路
１１３  アドレス回路
１Ａ  スキャンクロック
１Ｂ  スタートパルス
１Ｃ  スキャンブロック制御信号
１Ｄ  ブロック別切換回路（制御回路）
１Ｅ−１〜１Ｅ−３  スキャンクロック
１Ｅ−４〜１Ｅ−６  スタートパルス
１Ｆ  スキャン回路
１Ｆ−１〜１Ｆ−６  スキャンドライバ
１Ｇ  サステイン回路
１Ｇ−１〜１Ｇ−３  サステインドライバ
１Ｈ−１〜１Ｈ−３  維持ブロック
３１Ａ  従来のＡＤＳ駆動時の不要輻射のピーク
３１Ｂ  維持ブロック分割駆動時の不要輻射のピーク
３１Ｃ−１〜３１Ｃ−３  維持ブロック分割駆動時の不要輻射のピーク
【図１】
2005070488.tif 000003
【図２】
2005070488.tif 000004
【図３】
2005070488.tif 000005
【図４】
2005070488.tif 000006
【図５】
2005070488.tif 000007
【図６】
2005070488.tif 000008
【図７】
2005070488.tif 000009
【図８】
2005070488.tif 000010
【図９】
2005070488.tif 000011
【図１０】
2005070488.tif 000012
【図１１】
2005070488.tif 000013